(57)【要約】【課題】本発明は、弾性体による繰出しリングの付勢力を十分確保し、弾性体による繰出しリングの光軸方向の変位を得ることができるレンズ繰出し装置、撮像装置、携帯電子機器を提供する。【解決手段】ホルダ４が繰出しリング３を回動自在に支持し、操作レバー５による繰出しリング３の回転で、繰出しリング３とホルダ４の何れか一方に形成されたカム面６Ａ，６Ｂと、何れか他方に形成された当接部７との係合位置が切り換えられ、繰出しリング３が保持するレンズユニット２が光軸方向に変位する。繰出しリング３の外周には載置面３ｃが形成され、載置面３ｃ上に弾性体８が配置され、該弾性体８が押圧手段９に当接支持される。載置部３ｃと押圧手段９の対向面９ｄのそれぞれに、複数の突出部３ｄ，…，９ｅ，…が形成され、複数の突出部３ｄ，…，９ｅ，…間に弾性体８が配置される。【選択図】図１
2013015699.tif 000002
【特許請求の範囲】
【請求項１】
レンズユニットを保持する繰出しリングと、該繰出しリングを前記レンズユニットの光軸回りで回動自在に支持するホルダと、該繰出しリングを回転操作するための操作レバーとを備え、前記繰出しリングと前記ホルダの何れか一方にカム面が形成されるとともに、前記繰出しリングと前記ホルダの何れか他方に前記カム面と係合可能な当接部が形成され、前記操作レバーによって前記繰出しリングを回転させると、前記カム面と前記当接部との係合位置が切り換えられ、前記繰出しリングが前記レンズユニットの光軸方向に変位し、これに伴い、前記レンズユニットがその光軸方向に変位するよう構成されたレンズ繰出し装置において、
前記繰出しリングの外周に形成される載置面と、該載置面上に配置される円環状又は略円環状の弾性体と、該弾性体の弾発力を前記繰出しリングに付勢して前記カム面に前記当接部を押圧させるべく、前記ホルダに一体化されかつ前記弾性体を当接支持する押圧手段と、該押圧手段のうち、前記載置面と対向する位置に形成される対向面とを備え、
前記載置面と前記対向面の何れか一方に、複数の第１の突出部が互いに間隔を有して周方向に形成されるとともに、前記載置面と前記対向面の何れか他方であって、前記第１の突出部と周方向において位相のずれた位置に、複数の第２の突出部が互いに間隔を有して周方向に形成され、前記操作レバーによる前記繰出しリングの回転に伴って、前記複数の第１の突出部のそれぞれが前記複数の第２の突出部の隣り合う突出部間を移動するように構成されることを特徴とするレンズ繰出し装置。
【請求項２】
前記弾性体は、断面視円形状である請求項１に記載のレンズ繰り出し装置。
【請求項３】
前記弾性体は、合成ゴム材からなる円環状体であり、その外表面に潤滑剤が塗布されている請求項１又は請求項２に記載のレンズ繰り出し装置。
【請求項４】
前記押圧手段は、押さえ部材を備え、該押さえ部材に前記対向面が形成され、該対向面に、該弾性体が外側に逃げることを防止するための壁部が環状乃至略環状に形成されている請求項１乃至請求項３の何れか一項に記載のレンズ繰り出し装置。
【請求項５】
前記載置面に、該弾性体が外側に逃げることを防止するための壁部が環状乃至略環状に形成されている請求項１乃至請求項４の何れか一項に記載のレンズ繰出し装置。
【請求項６】
前記押さえ部材は、前記弾性体よりも摩擦係数の小さい樹脂材料で形成されている請求項１乃至請求項５の何れか一項に記載のレンズ繰り出し装置
【請求項７】
請求項１乃至請求項６の何れか一項のレンズ繰り出し装置を備えたことを特徴とする撮像装置。
【請求項８】
請求項７の撮像装置を備えたことを特徴とする携帯電子機器。
【発明の詳細な説明】
【技術分野】
【０００１】
本発明は、デジタルカメラ、カメラ機能付携帯電話等の携帯電子機器に用いるレンズ繰出し装置、該レンズ繰出し装置を備えた撮像装置、並びに携帯電子機器に関する。
【背景技術】
【０００２】
近年、デジタルカメラ、カメラ機能付携帯電話等の携帯電子機器のカメラ（撮像装置）機能として、通常撮影やマクロ撮影等の撮影モードが選択的に切り換え可能としたものが普及されている（例えば、特許文献１参照）。
【０００３】
かかる携帯電子機器は、カメラ（撮像装置）機能において通常撮影やマクロ撮影等の撮影モードを選択的に切り換えるためのレンズ繰出し装置を備える。
【０００４】
より具体的には、かかるレンズ繰出し装置は、レンズユニットを保持する繰出しリングと、該繰出しリングをレンズユニットの光軸回りで回動自在に支持するホルダと、該ホルダに繰出しリングを保持するカバーと、繰出しリングを回転操作するための操作レバーとを備える。
【０００５】
この種のレンズ繰出し装置では、いわゆるカム機構が採用されている。該カム機構は、繰出しリングの回転運動をレンズユニットの往復運動（光軸方向に沿った前後移動）に変換させるものである。
【０００６】
より具体的には、かかるレンズ繰出し装置は、繰出しリングとホルダの何れか一方にカム面が形成されるとともに、繰出しリングとホルダの何れか他方にカム面と係合可能な当接部が形成されている。かかるレンズ繰出し装置は、操作レバーによって繰出しリングを回転させると、カム面と当接部との係合位置が切り換えられ、繰出しリングがレンズユニットの光軸方向に変位し、これに伴い、レンズユニットがその光軸方向に変位するよう構成されている。
【０００７】
そして、かかるレンズ繰出し装置では、繰出しリングに弾性変形可能な合成ゴム材からなる弾性体が設けられ、繰出しリングとカバーとの間に弾性体を圧縮状態で介在させ、弾性体の弾発力を繰出しリングに付勢してカム面に当接部を押し付けるようになっている。
【先行技術文献】
【特許文献】
【０００８】
【特許文献１】特開２００９−３６９０７号公報
【発明の概要】
【発明が解決しようとする課題】
【０００９】
しかしながら、上記構成のレンズ繰出し装置では、弾性体の圧縮変形を繰出しリングの付勢に利用しているため、ある程度の充分な弾性体の付勢力（圧縮変形量）を確保するためには、弾性体自体の材料の硬度を低く設定する必要があるが、該弾性体自体の硬度を低くすると繰出しリングの付勢力が不充分になり、逆に、弾性体自体の材料の硬度を高くすると弾性体の付勢力（圧縮変形量）が不十分になり、その結果、弾性体の寸法誤差によって付勢力が大きく変動してしまうという問題があった。
【００１０】
また、弾性体の圧縮変形を繰出しリングの付勢に利用しているため、通常撮影やマクロ撮影等の撮影モード間で、操作レバーによる繰出しリングの回転操作時の抵抗感の変化が強く、違和感を覚えやすいという問題があった。
【００１１】
そこで、本発明は、斯かる実情に鑑み、弾性体による繰出しリングの付勢力を十分確保しながら、該弾性体による繰出しリングの光軸方向の変位を得ることができ、正常撮影やマクロ撮影等の撮影モード間で、操作レバーによる繰出しリングの回転操作時の抵抗感の変化が小さく、違和感を覚えにくいレンズ繰出し装置、該レンズ繰出し装置を備えた撮像装置、並びに携帯電子機器を提供することを課題とする。
【課題を解決するための手段】
【００１２】
本発明のレンズ繰出し装置は、レンズユニットを保持する繰出しリングと、該繰出しリングを前記レンズユニットの光軸回りで回動自在に支持するホルダと、該繰出しリングを回転操作するための操作レバーとを備え、前記繰出しリングと前記ホルダの何れか一方にカム面が形成されるとともに、前記繰出しリングと前記ホルダの何れか他方に前記カム面と係合可能な当接部が形成され、前記操作レバーによって前記繰出しリングを回転させると、前記カム面と前記当接部との係合位置が切り換えられ、前記繰出しリングが前記レンズユニットの光軸方向に変位し、これに伴い、前記レンズユニットがその光軸方向に変位するよう構成されたレンズ繰出し装置において、前記繰出しリングの外周に形成される載置面と、該載置面上に配置される円環状又は略円環状の弾性体と、該弾性体の弾発力を前記繰出しリングに付勢して前記カム面に前記当接部を押圧させるべく、前記ホルダに一体化されかつ前記弾性体を当接支持する押圧手段と、該押圧手段のうち、前記載置面と対向する位置に形成される対向面とを備え、前記載置面と前記対向面の何れか一方に、複数の第１の突出部が互いに間隔を有して周方向に形成されるとともに、前記載置面と前記対向面の何れか他方であって、前記第１の突出部と周方向において位相のずれた位置に、複数の第２の突出部が互いに間隔を有して周方向に形成され、前記操作レバーによる前記繰出しリングの回転に伴って、前記複数の第１の突出部のそれぞれが前記複数の第２の突出部の隣り合う突出部間を移動するように構成されることを特徴とする。
【００１３】
このような構成により、弾性体が第１の突出部と第２の突出部との間に（千鳥状に）挟まれ、その結果、繰出しリングの周方向に蛇行状に伸張する。そのため、操作レバーによって繰出しリングを回転させても、弾性体の伸張状態に大きな変化はない。そして、弾性体が繰出しリングの周方向に蛇行状に伸張することで、レンズユニットの移動方向（光軸方向）にかかる荷重（弾性体の付勢力）が繰出しリングの周方向にも分散されるようになる。すなわち、弾性体は、レンズ繰出し装置の周方向における伸張変形の反力を利用して載置面を付勢するため、レンズユニットの移動方向（光軸方向）における荷重変動が小さくなり、弾性体による繰出しリングの付勢力を十分確保しながら、該弾性体による繰出しリングの光軸方向の変位を得ることができる。これにより、通常撮影やマクロ撮影等の撮影モード間で、操作レバーによる繰出しリングの回転操作時の抵抗感の変化が生じにくく、違和感を覚えにくい。その結果、弾性体及び周囲の部材の寸法誤差が付勢力（弾発力）に与える影響を低減することが可能である。
【００１４】
ここで、請求項２記載の発明において、前記弾性体は、断面視円形状であることが好ましい。このように弾性体の断面を円形状にすることで、弾性体が突出部と点接触乃至線接触するようになり、弾性体と繰出しリングとの間の摩擦抵抗を減らすことができ、操作レバーによる繰出しリングの回転操作を円滑に行うことができる。
【００１５】
また、請求項３記載の発明において、前記弾性体は、合成ゴム材からなる円環状体であり、その外表面に潤滑剤が塗布されていることが好ましい。このようにすることで、弾性体と載置面との接触がより円滑になり、操作レバーによる繰出しリングの回転を円滑かつ安定に行うことができる。
【００１６】
また、請求項４記載の発明において、前記押圧手段は、押さえ部材を備え、該押さえ部材に前記対向面が形成され、該対向面に、該弾性体が外側に逃げることを防止するための壁部が環状乃至略環状に形成されていることが好ましい。このようにすれば、該弾性体が周辺の部材に接触することを防止することができ、操作レバーによる繰出しリングの回転を円滑かつ安定に行うことができる。また、該壁部により、ゴミが撮像面に侵入することを防止することができる。
【００１７】
また、請求項５記載の発明において、前記載置面に、該弾性体が外側に逃げることを防止するための壁部が環状乃至略環状に形成されていることが好ましい。このようにすれば、該弾性体が周辺の部材に接触することを防止することができ、操作レバーによる繰出しリングの回転を円滑かつ安定に行うことができる。また、該壁部により、ゴミが撮像面に侵入することを防止することができる。
【００１８】
また、請求項６記載の発明において、前記押さえ部材は、前記弾性体よりも摩擦係数の小さい樹脂材料で形成されていることが好ましい。このように、押さえ部材を弾性体よりも摩擦係数の小さい樹脂材料で形成することで、押さえ部材と弾性体との間の摩擦を小さくすることができ、操作レバーによる繰出しリングの回転操作をより円滑に行うことができる。
【００１９】
また、上記構成のレンズ繰出し装置を備えた撮像装置では、操作レバーによる繰出しリングの回転によって繰出しリングがレンズユニットの光軸方向に変位し、これに伴い、レンズユニットがその光軸方向に変位するようになり、通常撮影やマクロ撮影等の種々の撮影モードで撮影を行うことができる。
【００２０】
また、上記構成の撮像装置を備えた携帯電子機器では、デジタルカメラ、カメラ機能付携帯電話等の携帯電子機器に組み込まれるカメラ機能として、通常撮影位置、マクロ撮影位置等の各撮影位置において焦点合わせを正確に行うことが可能となる。
【発明の効果】
【００２１】
これにより、弾性体による繰出しリングの付勢力を十分確保しながら、該弾性体による繰出しリングの光軸方向の変位を得ることができ、正常撮影やマクロ撮影等の撮影モード間で、操作レバーによる繰出しリングの回転操作時の抵抗感の変化が小さく、違和感を覚えにくいレンズ繰出し装置、該レンズ繰出し装置を備えた撮像装置、並びに携帯電子機器を提供することができる。
【図面の簡単な説明】
【００２２】
【図１】本発明の一実施形態にかかるレンズ繰出し装置の斜視図
【図２】同実施形態にかかるレンズ繰出し装置の分解斜視図
【図３】（ａ）は、同実施形態にかかるレンズ繰出し装置のホルダの平面図、（ｂ）は、該ホルダに形成されたカム面の断面図
【図４】（ａ）は、同実施形態にかかるレンズ繰出し装置の通常撮影時の平面図、（（ｂ）は、同実施形態にかかるレンズ繰出し装置の通常撮影時の断面図
【図５】（ａ）は、同実施形態にかかるレンズ繰出し装置のマクロ撮影時の平面図、（ｂ）は、同実施形態にかかるレンズ繰出し装置のマクロ撮影時の断面図
【図６】同実施形態にかかるレンズ繰出し装置の押さえ部材と繰出しリングとの間における弾性体を３６０度展開した図であって、（ａ）は、同実施形態にかかるレンズ繰出し装置の通常撮影時を示す図、（ｂ）は、同実施形態にかかるレンズ繰出し装置のマクロ撮影時を示す図
【発明を実施するための形態】
【００２３】
以下、本発明にかかるレンズ繰出し装置の一実施形態について、添付図面を参照して説明する。
【００２４】
本発明にかかるレンズ繰出し装置は、デジタルカメラ、カメラ機能付携帯電話等の携帯電子機器のカメラ（撮像装置）機能として、通常撮影やマクロ撮影等の撮影モードを選択的に切り換えるためのものである。
【００２５】
図１及び図２に示すように、本実施形態にかかるレンズ繰出し装置１は、レンズユニット２を保持する繰出しリング３と、該繰出しリング３をレンズユニット２の光軸回りで回動自在に支持するホルダ（ベース）４と、該繰出しリング３を回転操作するための操作レバー５とを備える。
【００２６】
本実施形態において、レンズユニット２は、レンズ２ａと該レンズ２ａを保持するレンズホルダ２ｂとで構成されている。レンズホルダ２ｂの外周面には、後述する繰出しリング３の内周面に形成された雌ネジ部３ａと螺合する雄ネジ部２ｃが形成されている。
【００２７】
本実施形態において、繰出しリング３は、レンズホルダ２ｂを組み込むための円筒部３ｂを有する。該円筒部３ｂの内周面には、前述の雌ネジ部３ａが形成され、該雌ネジ部３ａに前述のレンズホルダ２ｂの外周面に形成された雄ネジ部２ｃが螺着することで、レンズホルダ２ｂが繰出しリング３に組み込まれるようになっている。なお、レンズ２ａ、レンズホルダ２ｂ、ホルダ４及び操作レバー５には、一般的に熱膨張係数の等しい樹脂材料を使用している。
【００２８】
そして、レンズ２ａは、３．５ｍｍ≦レンズ外径（Ｄ）≦６．０ｍｍ、２．９ｍｍ≦レンズ有効径（Ｅ．Ｄ）≦５．４ｍｍ、０．３ｍｍ≦レンズ有効径部の周縁厚み（ｓ）≦０．５ｍｍ、０．７ｍｍ≦レンズ有効径部の中心厚み（ｔ）≦１．０ｍｍ及び、１．７５ｍｍ≦中心からレンズ外周のＤカット面までの距離）Ｅ≦２．９ｍｍと薄型化が要望され、内部歪みを小さくするため、樹脂材料をｓ≦０．６５なる条件、２６．０≦アッベ数（υｄ）≦５５．８、１０４≦曲げ強度（σｂ［ＭＰａ］）≦１２５なる条件又は、１．５３≦屈折率（Ｎｄ）≦１．６２、１０４≦σｂ≦１２５なる条件を満たす樹脂材料を使用することが好ましい、具体的には、樹脂材料は、ＺＥＯＮＥＸ  Ｅ４８Ｒ（商品名）、ＺＥＯＮＥＸ  Ｆ５２Ｒ（商品名）、大阪ガスケミカル製のＯＫＰ４（商品名）であり、帝人化成製のＳＰ−１５１６（商品名）が好ましい。
【００２９】
また、レンズホルダ２ｂには、レンズ２ａと熱膨張係数が実質的に等しいポリカーボネート樹脂又はＰＥＴ樹脂が好ましい。
【００３０】
また、ホルダ４及び操作レバー５には、熱膨張係数が実質的に等しく、かつ、以下で説明するカム面６Ａ，６Ｃ，６Ｂ又は当接部７を有するため、機械的強度や摺動特性が優れている樹脂、例えばポリアリレートを用いている。これにより、通常撮影やマクロ撮影等の撮影モード間で、操作レバーによる繰出しリングの回転操作時の抵抗感の変化が生じにくく、違和感を覚えにくい。
【００３１】
また、本実施形態において、繰出しリング３の円筒部３ｂの外周に載置面３ｃが形成されるとともに、該載置面３ｃ上に円環状又は略円環状の弾性体８が配置されている。本実施形態においては、載置面３ｃ上に円環状の弾性体８が配置されている。本実施形態においては、弾性体８は、合成ゴム材、シリコーンゴム、ウレタンゴム、フッ素ゴム等からなる円環状体であり、断面視円形状となるように形成されている。そして、繰出しリング３の円筒部３ｂの径は、弾性体８の内径より大きくなるように形成されている。
【００３２】
本実施形態において、ホルダ４は、レンズ繰出し装置１のベースであって、図１〜図３に示すように、繰出しリング３を支持するための支持部４ａと、後述する押圧手段（カバー）９を固定するための突起部４ｅとが形成されている。本実施形態においては、突起部４ｂは、支持部４ａの各コーナーに配置され、４つ形成されている。また、支持部４ａと各突起部４ｂの内側には、繰出しリング３を回動自在に変位させる筒状部４ｃが形成されている。
【００３３】
また、筒状部４ｃの底部には、開口部４ｄが形成されている。そして、該開口部４ｄには、透明板１０が嵌め込まれ、また、透明板１０が開口部４ｄから外れないように、筒状部４ｃの底部に押さえ板１１が取り付けられている。さらに、ホルダ４は、一方の対向二面におけるそれぞれ突起部４ｂ，４ｂ間に、後述する押圧手段（カバー）９に形成された突部９ｂと係合する凸部４ｅを備える。ホルダ４は、対向二面と直交する対向二面の少なくとも何れかに、前記操作レバー５をホルダ４の外方に突出させつつ回転可能な切欠部４ｆを備える。
【００３４】
本実施形態において、繰出しリング３は、ホルダ４の筒状部４ｃ内で回動自在に保持されるとともに、ホルダ４の筒状部４ｃ内で光軸方向に移動自在となっている。そして、繰出しリング３とホルダ４の何れか一方には、カム面６Ａ，６Ｃ，６Ｂが形成され、繰出しリング３とホルダ４の何れか他方には、カム面６Ａ，６Ｃ，６Ｂと係合可能な当接部７が形成されている。本実施形態においては、ホルダ４にカム面６Ａ，６Ｃ，６Ｂが形成されるとともに、繰出しリング３にカム面６Ａ，６Ｃ，６Ｂと係合可能な当接部７が形成されている。
【００３５】
従って、本実施形態において、レンズ繰出し装置１は、操作レバー５によって繰出しリング３を回転させると、カム面６Ａ，６Ｃ，６Ｂと当接部７との係合位置が切り換えられ、繰出しリング３がレンズユニット２の光軸方向に変位し、これに伴い、該レンズユニット２がその光軸方向に変位するよう構成されている。なお、本実施形態では、繰出しリング３と操作レバー５とは一体的に形成されている。
【００３６】
より具体的に説明すると、本実施形態においては、図３に示すように、カム面６Ａ，６Ｃ，６Ｂは、ホルダ４の支持部４ａに段違い状に形成され、カム面６Ａが通常撮影位置、カム面６Ｂがマクロ撮影位置にそれぞれ設定されていて、傾斜面６Ｃで６Ａと６Ｂをつないでいる。本実施形態においては、カム面６Ｂがカム面６Ａよりも高くなるように形成されている。すなわち、図４（ａ），（ｂ）及び図５（ａ），（ｂ）に示すように、操作レバー５によって繰出しリング３を回転させると、繰出しリング３の当接部７は、ホルダ４のカム面６Ａ，６Ｃ，６Ｂに順次係合され、通常撮影モード（図４（ａ），（ｂ）参照）、マクロ撮影モード（図５（ａ），（ｂ）参照）に切り換え可能となっている。
【００３７】
図１及び図２に戻り、本実施形態にかかるレンズ繰出し装置１は、弾性体８の弾発力を繰出しリング３に付勢してカム面６Ａ，６Ｃ，６Ｂに当接部７を押圧させるべく、ホルダ（ベース）４に一体化されかつ弾性体８を当接支持する押圧手段９を備える。本実施形態にかかる押圧手段９は、カバー９Ａと押さえ部材９Ｂとを備える。本実施形態では、カバー９Ａと押さえ部材９Ｂとは、別体として形成されている。なお、本実施形態では、カバー９Ａと押さえ部材９Ｂとが別体として形成されているが、これに限定されず、例えば、カバー９Ａと押さえ部材９Ｂとが一体的に形成されてもよい。
【００３８】
カバー９Ａは、繰出しリング３を押圧する平板部９ａと、該平板部９ａの対向二辺に垂設された前述の突部９ｂ，９ｂとを備える。本実施形態において、平板部９ａの四隅には、前述のホルダ４のそれぞれ突起部４ｂの内面に当接する当接凹部９ｃが形成されている。
【００３９】
突部９ｂ，９ｂに形成された開口部９ｅは、ホルダ４に形成された前述の凸部４ｅ，４ｅと係合するようになっている。そして、突部９ｂ，９ｂに形成された開口部９ｅと凸部４ｅ，４ｅとを係合させてホルダ４に押圧手段（カバー）９を固定され、また、押圧手段（押さえ部材９Ｂ）は径方向に突出した突出部９ｈが前述のホルダ４の切り欠き部４ｆに嵌まり込み、固定されることによって、押圧手段（カバー９Ａ及び押さえ部材９Ｂ）が繰出しリング３の円筒部３ｂの外周面に対して弾性体８を押圧するようになっている。なお、図１、図４（ａ）、図５（ａ）においては、説明の便宜上、弾性体８が見えるようにカバー９Ａの一部を切り欠いて図示している。
【００４０】
押さえ部材９Ｂは、上面、下面、内周面及び外周面を有する断面視四角形状の円環状体である。押さえ部材９Ｂの下面は、繰出しリング３の載置面３ｃと対向する対向面９ｄとなっている。
【００４１】
ここで、本実施形態において、図６に示すように、繰出しリング３の載置面３ｃと押圧手段（押さえ部材９Ｂ）の対向面９ｄの何れか一方に、複数の第１の突出部３ｄ，３ｄ・・・が互いに間隔を有して周方向に形成されるとともに、繰出しリング３の載置面３ｃと押圧手段（押さえ部材９Ｂ）の対向面９ｄの何れか他方であって、第１の突出部３ｄ，３ｄ・・・と周方向において位相のずれた位置に、複数の第２の突出部９ｆ，９ｆ・・・が互いに間隔を有して周方向に形成されている。本実施形態においては、繰出しリング３の載置面３ｃに、複数の第１の突出部３ｄ，３ｄ・・・が互いに間隔を有して周方向に形成されるとともに、押圧手段（押さえ部材９Ｂ）の対向面９ｄであって、第１の突出部３ｄ，３ｄ・・・と周方向において位相のずれた位置に、複数の第２の突出部９ｆ，９ｆ・・・が互いに間隔を有して周方向に形成されている。より詳しくは、第１の突出部３ｄ，３ｄ・・・及び第２の突出部９ｆ，９ｆ・・・は、それぞれ周方向の三等分位置に設けられている。そして、第１の突出部３ｄ，３ｄ・・・は、通常撮影モード（図４（ａ），（ｂ）、図６（ａ）参照）で、第２の突出部９ｆ，９ｆ・・・に対し、位相が４０度ずれた配置とされている。
【００４２】
複数の第１の突出部３ｄ，３ｄ・・・は、その先端と対向面９ｄとの間隔が光軸方向における弾性体８の厚み（すなわち、弾性体８の断面形状の直径）と同じか、それよりも僅かに大きくなるように突出している。また、複数の第２の突出部９ｆ，９ｆ・・・は、その先端と載置面３ｃとの間隔が光軸方向における弾性体８の厚み（すなわち、弾性体８の断面形状の直径）と同じか、それよりも僅かに大きくなるように突出している。そして、通常撮影モードおよびマクロ撮影モード等の操作レバー５の少なくとも回動可能な状態において、弾性体８は、第１の突出部３ｄ，３ｄ・・・と第２の突出部９ｆ，９ｆ・・・との間に（千鳥状に）挟まれ、繰出しリング３の周方向に蛇行状に伸張している。
なお、複数の第１の突出部３ｄ，３ｄ・・・及び第２の突出部９ｆ，９ｆ・・・は、後述するレンズ繰出し装置１の組み立て作業において、互いに接触しない程度の大きさに形成されている。
【００４３】
そして、第１の突出部３ｄ，３ｄ・・・は、操作レバー５による繰出しリング３の回転に伴って、第２の隣り合う突出部９ｆ，９ｆ間を移動するように構成されている。本実施形態においては、通常撮影モードからマクロ撮影モードへの移行に際し、繰出しリング３が回転する量が２０度であるので、第１の突出部３ｄ，３ｄ・・・は、マクロ撮影モード（図５（ａ），（ｂ）、図６（ｂ）参照）で、第２の突出部９ｆ，９ｆ・・・に対し、位相が６０度ずれた状態に切り替わる。
【００４４】
なお、図４（ｂ）及び図５（ｂ）に示すように、繰出しリング３の載置面３ｃは、弾性体８が外側に逃げることを防止すべく、該弾性体８よりも外側箇所に環状乃至略環状の壁部３ｅを備える。また、押さえ部材９Ｂの対向面９ｄも、弾性体８が外側に逃げることを防止すべく、該弾性体８よりも外側箇所に環状乃至略環状の壁部９ｇを備える。本実施形態においては、壁部３ｅ、壁部９ｇともに、環状である。
【００４５】
また、本実施形態において、ホルダ４の下面には、センサアッセンブリ１２が取り付けられている。センサアッセンブリ１２は、図４（ｂ）及び図５（ｂ）に示すように、レンズ２ａを介して被写体の光学像を集光する撮像素子１３と、該撮像素子１３を保持し、撮像素子１３に電気的に接続される回路パターン（図示せず）を表面に有する透明板１４と、該透明板１４の回路パターン及び該回路パターンの端子に電気的に接続される半田ボール１５を介して撮像素子１３を実装する基板１６とを備える。
【００４６】
以上のように構成された本実施形態にかかるレンズ繰出し装置１において、組み立て作業について説明する。
【００４７】
まず、繰出しリング３の載置面３ｃ上に弾性体８を配置し、繰出しリング３をホルダ４の支持部４ａに配置する。この時、繰出しリング３の当接部７は、支持部４ａと各突起部４ｂの内側に形成された筒状部４ｃ内に位置付けられるとともに、当接部７がカム面６Ａ，６Ｂの何れかに係合された状態で組み付けられる。
【００４８】
次に、繰出しリング３に押圧手段（カバー９Ａ及び押さえ部材９Ｂ）を被せて、該押圧手段（カバー９Ａに形成された突部９ｂ，９ｂをホルダ４に形成された凸部４ｅ，４ｅに係合させることによって繰出しリング３をホルダ４に組み付ける。押圧手段（カバー９Ａ及び押さえ部材９Ｂ）によってホルダ４に組み付けられた繰出しリング３は、ホルダ４の筒状部４ｃ内で回転自在に保持され、押圧手段（カバー９Ａ及び押さえ部材９Ｂ）とホルダ４の支持部４ａとの間に位置するようになり、光軸方向に移動（変位）自在に配置される。そこで、押圧手段（カバー９Ａ及び押さえ部材９Ｂ）の対向面９ｄと繰出しリング３の載置面３ｃとの間に装着された弾性体８は、押圧手段（カバー９Ａ及び押さえ部材９Ｂ）の対向面９ｄによって載置面３ｃに対して押圧されて圧縮変形され、これに伴って、その弾性体の弾発力によって、繰出しリング３の当接部７がホルダ４のカム面６Ａ，６Ｂの何れかに押圧される。
【００４９】
このようにして、繰出しリング３を組み付けた後に、操作レバー５を通常撮影モード（図４（ａ），（ｂ）参照）の位置まで回転させる。そうすると、繰出しリング３の当接部７がホルダ４のカム面６Ａに押圧された状態で保持されるようになる。この状態で、繰出しリング３の内周面に形成された雌ネジ部３ａに、レンズホルダ２ｂの外周面に形成された雄ネジ部２ｃを螺合させ、繰出しリング３とレンズホルダ２ｂとを一体化させる。そして、操作レバー５をマクロ撮影モード（図５（ａ），（ｂ）参照）の位置まで回転させることで、繰出しリング３の当接部７がホルダ４のカム面６Ｂに押圧された状態で保持されるようになる。
【００５０】
本実施形態では、前述のように、繰出しリング３の円筒部３ｂの外周面に載置面３ｃが形成され、繰出しリング３の載置面３ｃに、複数の第１の突出部３ｄ，３ｄ・・・が互いに間隔を有して周方向に形成されるとともに、押圧手段（カバー９Ａ及び押さえ部材９Ｂ）の対向面９ｄであって、第１の突出部３ｄ，３ｄ・・・と周方向において位相のずれた位置に、複数の第２の突出部９ｆ，９ｆが互いに間隔を有して周方向に形成されているため、操作レバー５によって、通常撮影モード（図６（ａ）参照）の位置からマクロ撮影モード（図６（ｂ）参照）の位置に繰出しリング３を回転させることで、図６（ａ），（ｂ）に示すように、繰出しリング３の載置面３ｃに形成された複数の第１の突出部３ｄ，３ｄ・・・が押さえ部材９Ｂの対向面９ｄに形成された第２の隣り合う突出部９ｆ，９ｆ間を移動するようになり、これに伴って、弾性体８は、第１の突出部３ｄ，３ｄ・・・と第２の突出部９ｆ，９ｆ・・・との間に（千鳥状に）挟まれ、その結果、繰出しリング３の周方向に蛇行状に伸張した状態となって、押圧手段（カバー９Ａ及び押さえ部材９Ｂ）によって、レンズユニット２の光軸方向に押圧されるとともに、繰出しリング３の周方向に押圧されるようになる。すなわち、押圧手段（カバー９Ａ及び押さえ部材９Ｂ）による弾性体８の押圧力は、レンズユニット２の光軸方向と繰出しリング３の周方向とに分散されることになり、かつ、通常撮影モードとマクロ撮影モードとの間で繰出しリング３を回転させても、弾性体８の伸張状態に大きな変化は生じない（図６（ａ），（ｂ）の弾性体８の形態を参照）。すなわち、弾性体８は、レンズ繰出し装置１の周方向における伸縮変形の反力を利用して載置面３ｃを付勢するため、レンズユニット２の移動方向（光軸方向）における荷重変動が小さくなる。
【００５１】
このように、操作レバー５を通常撮影モード（図４（ａ），（ｂ）参照）の位置とマクロ撮影モード（図５（ａ），（ｂ）参照）の位置とに切り換えることにより、当接部７がカム面６Ａ，６Ｂに順次係合されて、通常撮影モードとマクロ撮影モードとに撮影モードを切り換えることができるようになる。
【００５２】
以上のように、本実施形態にかかるレンズ繰出し装置１では、繰出しリング３の外周に載置面３ｃが形成されるとともに、該載置面３ｃに円環状の弾性体８が装着され、該弾性体８の弾発力を繰出しリング３に付勢してカム面６Ａ，６Ｂに当接部７を押圧させるべく、ホルダ（ベース）４に一体化されかつ弾性体８を当接支持する押圧手段（カバー）９を備えるため、弾性体８の周方向における伸縮変形の反力を利用して載置面３ｃを付勢することで、レンズユニット２の移動方向（光軸方向）における荷重変動が小さくなり、弾性体８による繰出しリング３の付勢力を十分確保しながら、該弾性体８による繰出しリング３の光軸方向の変位を得ることができ、通常撮影やマクロ撮影等の撮影モード間で、操作レバー５による繰出しリング３の回転操作時の抵抗感の変化が生じにくく、違和感を覚えにくい。
【００５３】
加えて、繰出しリング３の載置面３ｃに、複数の第１の突出部３ｄ，３ｄ・・・が周方向に形成されるとともに、押さえ部材９Ｂの対向面９ｄに、第１の突出部３ｄ，３ｄ・・・と周方向において位相のずれた位置に複数の第２の突出部９ｆ，９ｆが周方向に形成され、操作レバー５による繰出しリング３の回転に伴って、複数の第１の突出部３ｄ，３ｄ・・・が複数の第２の突出部９ｆ，９ｆ間を移動するように構成されているため、弾性体８は、繰出しリング３の周方向における伸縮変形の反力を利用して載置面３ｃを付勢することで、レンズユニット２の移動方向（光軸方向）における荷重変動が小さくなり、弾性体８による繰出しリング３の付勢力を十分確保しながら、該弾性体８による繰出しリング３の光軸方向の変位を得ることができる。これにより、通常撮影やマクロ撮影等の撮影モード間で、操作レバーによる繰出しリング３の回転操作時の抵抗感の変化が生じにくく、違和感を覚えにくい。その結果、弾性体８及び周囲の部材の寸法誤差が付勢力（弾発力）に与える影響を低減することが可能である。
【００５４】
また、押圧手段９は、カバー９Ａと押さえ部材９Ｂとを一体的に係合したものであるため、カバー９Ａと押さえ部材９Ｂとで弾性体８を繰出しリング３に対して押圧することができ、繰出しリング３の周方向に形成された複数の突出部３ｄ，３ｄ・・・と、押圧手段（押さえ部材９Ｂ）に形成された複数の第２の突出部９ｆ，９ｆよって弾性体８を繰出しリング３の周方向により確実に押圧でき、操作レバー５による繰出しリング３の回転をさらに安定して行うことができる。
【００５５】
また、弾性体８は、断面視円形状となるように形成されているため、弾性体８と繰出しリング３との間の摩擦抵抗を減らすことができ、操作レバー５による繰出しリング３の回転操作を円滑に行うことができる。
【００５６】
また、上記構成のレンズ繰出し装置１を備えた撮像装置では、通常撮影やマクロ撮影等の種々の撮影モードで撮影を行うことができる。
【００５７】
また、上記構成の撮像装置を備えた携帯電子機器では、通常撮影位置、マクロ撮影位置等の各撮影位置において焦点合わせを正確に行うことが可能となる。
【００５８】
なお、本発明は、上記実施形態に限定されるものではなく、本発明の要旨を逸脱しない範囲で適宜変更し得ることは勿論のことである。
【００５９】
上記実施形態において、レンズ繰出し装置１は、ホルダ４にカム面６Ａ，６Ｂが形成されるとともに、繰出しリング３にカム面６Ａ，６Ｂと係合可能な当接部７が形成されるように構成されているが、これに限定されず、例えば、繰出しリング３にカム面６Ａ，６Ｂが形成されるとともに、ホルダ４にカム面６Ａ，６Ｂと係合可能な当接部７が形成されるように構成されてもよい。この場合でも、操作レバー５によって繰出しリング３を回転させると、カム面６Ａ，６Ｂと当接部７との係合位置が切り換えられ、繰出しリング３がレンズユニット２の光軸方向に変位し、これに伴い、レンズユニット２がその光軸方向に変位するようにすることができる。
【００６０】
上記実施形態において、弾性体８は、その外表面に潤滑剤が塗布されるように構成されてもよい。このようにすれば、弾性体８と載置面３ｃとの接触がより円滑になり、操作レバー５による繰出しリング３の回転をより円滑かつ安定に行うことができる。
【００６１】
上記実施形態において、押さえ部材９Ｂは、弾性体８よりも摩擦係数の小さい樹脂材料で形成されていることが好ましい。このように、押さえ部材９Ｂを弾性体８よりも摩擦係数の小さい樹脂材料で形成することで、押さえ部材９Ｂと弾性体８との間の摩擦を小さくすることができ、操作レバー５による繰出しリング３の回転操作をより円滑に行うことができる。
【００６２】
上記実施形態において、カム面６Ｂがカム面６Ａよりも高くなるように形成されているが、これに限定されず、例えば、カム面６Ａがカム面６Ｂよりも高くなるように形成されてもよい。要は、操作レバー５を通常撮影モードの位置とマクロ撮影モードの位置とに切り換えることにより、当接部７がカム面６Ａ，６Ｂに順次係合されて、通常撮影モードとマクロ撮影モード等の撮影モードを切り換えることができるように構成されていればよい。
【００６３】
上記実施形態において、通常撮影モードとマクロ撮影モードとに撮影モードを切り換えるように構成されているが、これに限定されず、例えば、ズーム撮影モードや広角撮影モードなど他の撮影モードにも切り替えられるように、ホルダ４と繰出しリング３とにおいて、カム面６Ａ，６Ｂと当接面７とを適宜形成するようにすればよい。
【産業上の利用可能性】
【００６４】
本発明にかかるレンズ繰出し装置は、弾性体による繰出しリングの付勢力を十分確保しながら、該弾性体による繰出しリングの光軸方向の変位を得ることができ、通常撮影やマクロ撮影等の撮影モード間で、操作レバーによる繰出しリングの回転操作時の抵抗感の変化が小さく、違和感を覚えにくいレンズ繰出し装置、該レンズ繰出し装置を備えた撮像装置、並びに携帯電子機器等の用途に適用できる。
【符号の説明】
【００６５】
１          レンズ繰出し装置
２          レンズユニット
２ａ        レンズ
２ｂ        レンズホルダ
２ｃ        雄ネジ部
３          繰出しリング
３ａ        雌ネジ部
３ｂ        円筒部
３ｃ        載置面
３ｄ        第一の突出部
３ｅ        壁部
４          ホルダ（ベース）
４ａ        支持部
４ｂ        突起部
４ｃ        筒状部
４ｄ        開口部
４ｅ        凸部
４ｆ        切欠部
５          操作レバー
６Ａ，６Ｂ，６Ｃ  カム面
７          当接部
８          弾性体
９          押圧手段
９Ａ        カバー
９ａ        平板部
９ｂ，９ｂ  突部
９ｃ        当接凹部
９Ｂ        押さえ部材
９ｄ        対向面
９ｅ        開口部
９ｆ        第二の突出部
９ｇ        壁部
９ｈ        突出部
１０        透明板
１１        押さえ板
１２        センサアッセンブリ
１３        撮像素子
１４        透明板
１５        半田ボール
１６        基板
【図１】
2013015699.tif 000003
【図２】
2013015699.tif 000004
【図３】
2013015699.tif 000005
【図４】
2013015699.tif 000006
【図５】
2013015699.tif 000007
【図６】
2013015699.tif 000008